(57)【要約】【課題】ユーザの画面に対する相対的な位置を含むユーザによる表示装置の利用態様に応じて、表示位置を含む情報の表示態様を変えて、ユーザの見やすい形態で情報を表示する情報表示装置を提供する。【解決手段】情報表示装置１は、表示装置１００を備えている。情報表示装置１では、表示装置１００の画面に表示する情報の表示位置、情報の表示の大きさ、情報の表示の向き、及び情報の表示形式を含む情報の表示態様のうち１又は複数の上記情報の表示態様を、ユーザによる表示装置の利用態様に応じて決定し、決定した情報の表示態様の情報画面を表示装置１００に表示する。【選択図】図１
2008268327.tif 000002
【特許請求の範囲】
【請求項１】
表示装置の画面に表示する情報の表示位置、情報の表示の大きさ、情報の表示の向き、及び情報の表示形式を含む情報の表示態様のうち１又は複数の前記情報の表示態様を、ユーザによる表示装置の利用態様に応じて決定することを特徴とする情報表示装置。
【請求項２】
前記画面の周辺にユーザの接近を感知する複数のセンサを設け、
ユーザの接近を感知したセンサの位置に応じて、前記情報の表示位置、情報の表示の大きさ、及び情報の表示形式を含む前記情報の表示態様のうち１又は複数の前記情報の表示態様を決定することを特徴とする請求項１に記載の情報表示装置。
【請求項３】
前記複数のセンサは複数のユーザの位置を検知し、
該検知した複数のユーザの位置に対応した位置にそれぞれ個別に前記情報を表示することを特徴とする請求項２に記載の情報表示装置。
【請求項４】
前記表示装置を水平に設置し、画面の周囲にユーザの接近を感知するセンサを設け、ユーザの接近を感知したセンサの位置に応じて、前記情報の表示の向きを決定することを特徴とする請求項１〜３のいずれかに記載の情報表示装置。
【請求項５】
前記表示装置の画面の近傍に複数のプリンタ機能を有する画像処理装置及び／又は情報処理装置が前記センサの設けられた位置と対応した位置に設置され、
前記ユーザの接近を感知したセンサの位置に応じて決定された位置に表示された前記情報を、前記ユーザの接近を感知したセンサの位置と対応した位置に設置された前記画像処理装置及び／又は前記情報処理装置に出力することを特徴とする請求項２〜４のいずれかに記載の情報表示装置。
【請求項６】
前記表示装置の画面の近傍に複数のプリンタ機能を有する画像処理装置及び／又は情報処理装置が前記画面の区分された表示領域と対応した位置に設置され、
前記画面に表示された情報を、当該情報が表示された位置が該当する表示領域と対応した位置に設置された前記画像処理装置及び／又は情報処理装置に出力することを特徴とする請求項１〜４のいずれかに記載の情報表示装置。
【請求項７】
前記表示装置の画面の近傍に複数のスキャナ機能を有する画像処理装置及び／又は情報処理装置が前記画面の区分された表示領域と対応した位置に設置され、
画像処理装置及び／又は情報処理装置から出力された情報を、当該スキャナ機能を有する画像処理装置及び／又は情報処理装置と対応した画面の表示領域に、表示することを特徴とする請求項１〜４のいずれかに記載の情報表示装置。
【請求項８】
ユーザを識別する識別情報を取得する識別情報取得手段を備え、
該識別情報取得手段で取得した識別情報に基づいてユーザの属性情報を取得し、該取得した属性情報に対応して、表示態様を決定することを特徴とする請求項１〜７のいずれかに記載の情報表示装置。
【発明の詳細な説明】
【技術分野】
【０００１】
本発明は、情報表示装置、特に、大型の表示装置を備えた情報表示装置に関する。
【背景技術】
【０００２】
従来、５０インチを超える超大画面テレビと言えば、フロント投射型のプロジェクションテレビが多かったが、近年では、液晶テレビやプラズマテレビ等の直視型のものでも５０インチを越える商品が流通しており、また、１００インチを超える直視型の超大画面テレビが商品化されるに至っている。
また、情報を表示する情報表示装置としては、上述のようなテレビ装置等の他、例えば、表示装置とタッチパネル等の入力装置とを一体に構成した入力表示一体型の情報表示装置が知られている。
【０００３】
特許文献１には、机全面を表示領域及び入力領域として用いる情報表示装置であって、表示領域内の複数の位置に情報を表示可能な表示装置と、その表示装置の表示面上に重ねて入力面を有する入力装置と、からなるものが開示されている。この情報表示装置では、表示装置兼入力装置として機能する机に対してユーザが操作できるようになっている。また、特許文献１の情報入力装置は、ユーザを撮像する撮像手段と、その撮像手段により撮像された画像を処理する画像処理手段とを有しており、これらにより机に対するユーザの位置を判断し、ユーザの位置に合わせて情報を表示するようになっている。
【特許文献１】特開平６−２６６４９８号公報
【発明の開示】
【発明が解決しようとする課題】
【０００４】
特許文献１に記載の情報表示装置は、ユーザ一人で利用する情報表示装置を想定しており、すなわち、表示装置の表示画面全体を一人のユーザに対して用いるものであり、ユーザが操作する特定のオブジェクト（情報）のみユーザの目の前に表示するものである。そのため、表示装置が大型化した場合、その表示画面全体に情報が表示されるので、表示装置から近い位置にユーザがいるときに、表示装置に表示された情報の全内容が見づらくなることがある。
【０００５】
本発明は上述した課題を解決するためになされたものであり、ユーザの画面に対する相対的な位置を含むユーザによる表示装置の利用態様に応じて、表示位置を含む情報の表示態様を変えて、ユーザの見やすい形態で情報を表示する情報表示装置を提供することを目的とする。
【課題を解決するための手段】
【０００６】
上記目的を達成するために、本発明の第１の技術手段は、表示装置の画面に表示する情報の表示位置、情報の表示の大きさ、情報の表示の向き、及び情報の表示形式を含む情報の表示態様のうち１又は複数の前記情報の表示態様を、ユーザによる表示装置の利用態様に応じて決定することを特徴としたものである。
【０００７】
第２の技術手段は、第１の技術手段において、前記画面の周辺にユーザの接近を感知する複数のセンサを設け、ユーザの接近を感知したセンサの位置に応じて、前記情報の表示位置、情報の表示の大きさ、及び情報の表示形式を含む前記情報の表示態様のうち１又は複数の前記情報の表示態様を決定することを特徴としたものである。
【０００８】
第３の技術手段は、第２の技術手段において、前記複数のセンサは複数のユーザの位置を検知し、該検知した複数のユーザの位置に対応した位置にそれぞれ個別に前記情報を表示することを特徴としたものである。
【０００９】
第４の技術手段は、第１乃至第３のいずれか１の技術手段において、前記表示装置を水平に設置し、画面の周囲にユーザの接近を感知するセンサを設け、ユーザの接近を感知したセンサの位置に応じて、前記情報の表示の向きを決定することを特徴としたものである。
【００１０】
第５の技術手段は、第２乃至第４のいずれか１の技術手段において、前記表示装置の画面の近傍に複数のプリンタ機能を有する画像処理装置及び／又は情報処理装置が前記センサの設けられた位置と対応した位置に設置され、前記ユーザの接近を感知したセンサの位置に応じて決定された位置に表示された前記情報を、前記ユーザの接近を感知したセンサの位置と対応した位置に設置された前記画像処理装置及び／又は前記情報処理装置に出力することを特徴としたものである。
【００１１】
第６の技術手段は、第１乃至第４のいずれか１の技術手段において、前記表示装置の画面の近傍に複数のプリンタ機能を有する画像処理装置及び／又は情報処理装置が前記画面の区分された表示領域と対応した位置に設置され、前記画面に表示された情報を、当該情報が表示された位置が該当する表示領域と対応した位置に設置された前記画像処理装置及び／又は情報処理装置に出力することを特徴としたものである。
【００１２】
第７の技術手段は、第１乃至第４のいずれか１の技術手段において、前記表示装置の画面の近傍に複数のスキャナ機能を有する画像処理装置及び／又は情報処理装置が前記画面の区分された表示領域と対応した位置に設置され、画像処理装置及び／又は情報処理装置から出力された情報を、当該スキャナ機能を有する画像処理装置及び／又は情報処理装置と対応した画面の表示領域に、表示することを特徴としたものである。
【００１３】
第８の技術手段は、第１乃至第７のいずれか１の技術手段において、ユーザを識別する識別情報を取得する識別情報取得手段を備え、該識別情報取得手段で取得した識別情報に基づいてユーザの属性情報を取得し、該取得した属性情報に対応して、表示態様を決定することを特徴としたものである。
【発明の効果】
【００１４】
本発明の情報表示装置によれば、ユーザの画面に対する相対的な位置を含むユーザによる表示装置の利用態様に応じて、表示位置を含む情報の表示態様を変えて、ユーザの見やすい形態で情報を表示することができる。
【発明を実施するための最良の形態】
【００１５】
本発明の情報表示装置は、ユーザの特性及び／又はユーザの画面に対する相対的位置等のユーザによる表示装置の利用態様に応じて、表示装置の画面に表示する情報の表示位置、情報の表示の大きさ、情報の表示形式、及び情報の表示向き等の情報の表示態様を決定して、決定した情報の表示態様で情報を表示するものである。以下の説明では、情報表示装置の表示画面に表示される情報を、情報画面という。
【００１６】
図１は、本発明の一実施形態に係る情報表示装置の構成例を説明するためのブロック図である。以下、本実施形態に係る情報表示装置について、大型の表示装置及びタッチパネルを一体に構成した大型表示タッチパネルと、大型表示タッチパネルの表示制御を行う表示タッチパネル制御装置と、を含んで成るものとして説明する。
【００１７】
情報表示装置１においては、図１に示すように、１（又は複数）の大型表示タッチパネル２００（２００，２００’，…）が、表示タッチパネル制御装置（以下、表示制御装置という）１００に直接接続されており、表示制御装置１００がネットワークを介して１（又は複数）の画像処理装置３００（３００，３００’，…）に接続されている。
また、情報表示装置１において、表示制御装置１００が画像処理装置の他に、または、画像処理装置に換えて、情報処理装置とネットワークを介して接続されていてもよい。
【００１８】
情報表示装置１の大型表示タッチパネル２００（２００，２００’，…）は、表示制御装置１００と通信を行うための通信Ｉ／Ｆ２３０を有しており、この通信Ｉ／Ｆ２３０を介して表示制御装置１００の後述の通信Ｉ／Ｆ１２０と接続されている。これにより大型表示タッチパネル２００（２００，２００’，…）は、表示制御装置１００により表示制御可能となっている。
【００１９】
大型表示タッチパネル２００（２００，２００’，…）は、表示装置として、例えば、大型液晶パネルやプラズマディスプレイパネル（ＰＤＰ）、有機ＥＬ表示装置等の自己発光型ディスプレイなどを備え、これら表示装置とタッチパネルとが一体に構成されている。情報表示装置１においては、表示装置に表示される情報画面に対してユーザがタッチパネルを操作することにより、大型表示タッチパネル２００（２００，２００’，…）から表示制御装置１００に操作信号が送信される。
【００２０】
また、大型表示タッチパネル２００（２００，２００’，…）は、ユーザの接近を感知するセンサとしてユーザ位置センサ２１０を複数、表示装置の画面の周辺に有する。これらユーザ位置センサ２１０のそれぞれが感知したことを示す感知信号は、それぞれ独立して表示制御装置１００に送信される。そのため、表示制御装置１００で何れのユーザ位置センサ２１０からの信号であるのかを判断することができる。これにより、表示装置の表示画面に対するユーザの相対的な位置を検出することができるようになっている。
【００２１】
ユーザ位置センサ２１０としては、赤外線センサや超音波センサなどを用いることができるが、そのセンサ方式を限定するものではない。また、ユーザ位置センサ２１０は、一種類のセンサから構成されてもよいし、複数種類のセンサから構成されてもよい。また、ユーザ位置センサは、大型表示タッチパネルの周囲における、ユーザの接近を感知できる位置やユーザと表示画面との間の距離を検知できる位置等に適宜設けられるが、その位置と数とは限定されるものではない。
【００２２】
また、大型表示タッチパネル２００（２００，２００’，…）は、ユーザを識別するための識別情報を取得する識別情報取得機能を有するユーザ認証部２２０を有し、好適には、このユーザ認証部２２０は、ユーザ位置センサ２１０のそれぞれと対応する位置に設けられる。ユーザ認証部２２０は、好適には、非接触型のＩＣカードリーダから構成される。
【００２３】
情報表示装置１においては、例えば、ユーザが入力した識別情報をユーザ認証部２２０で取得し、取得した識別情報を大型表示タッチパネル２００から表示制御装置１００に送信する。そして表示制御装置１００が、受信した識別情報に基づき、例えば表示制御装置１００の記憶部１３０に記憶されるユーザ認証のための認証情報を参照して、ユーザ認証することができるようになっている。なお、情報表示装置１においては、ユーザ認証を行わなくてもよく、すなわち、ユーザ認証部２２０が識別情報取得機能のみを有する構成としてもよい。
【００２４】
また、情報表示装置１においては、ユーザ認証部２２０を介して取得する識別情報に基づき、ユーザの国籍、年齢、身長等のユーザ属性情報を取得する。例えば、後述するように、表示制御装置１００が記憶部１３０に識別情報とユーザ属性情報とを関連付けて記載するユーザ属性テーブルを記憶しており、取得した識別情報とユーザ属性テーブルに基づき、ユーザ属性情報を取得することができるようになっている。なお、ユーザ属性情報は、大型表示タッチパネル２００（２００，２００’，…）のユーザ認証部２２０を、ユーザ属性情報を取得する属性情報取得部として構成し、ユーザからユーザ認証部２２０を介して入力されるようにしてもよい。つまり、ユーザ認証部２２０が、ユーザの識別情報及び属性情報をユーザから取得してもよい。
【００２５】
表示制御装置１００は、大型表示タッチパネル２００（２００，２００’，…）に対して表示する表示画面を生成し、また大型表示タッチパネル２００（２００，２００’，…）に対するタッチ操作に基づく処理を行う。表示制御装置１００は、ＰＣなどのコンピュータ装置に内蔵して構成することができ、あるいは単独の装置として構成することもできる。
【００２６】
この表示制御装置１００は、表示制御装置１００の各部の制御、及び大型表示タッチパネル２００（２００，２００’，…）の表示制御を行うための制御部１１０と、大型表示タッチパネル２００（２００，２００’，…）と通信を行うための通信Ｉ／Ｆ１２０と、を有する。さらに、表示制御装置１００は、大型表示タッチパネル２００（２００，２００’，…）に表示させるための表示データ、表示位置情報やユーザ属性情報などを含む各種データやプログラムなどを記憶する記憶部１３０と、後述の画像処理装置３００（３００，３００’，…）等の外部機器にネットワークを介して接続するためのネットワークＩ／Ｆ１４０と、を有する。
【００２７】
画像処理装置３００（３００，３００’，…）は、例えば、記録用紙に記録された画像（原稿）を読み取って画像データを生成するスキャナ部３１０、及び、記録用紙上に画像データを形成する画像形成部として機能する印刷部３２０、の少なくとも何れか一方を備える画像処理装置（複合機など）から構成される。
【００２８】
画像処理装置３００（３００，３００’，…）は、スキャナ部３１０で生成された画像データを情報表示装置１の表示制御装置１００に送信する。表示制御装置１００は、何れの画像処理装置によりこの画像データが送信されたかを判別することができるようになっている。例えば、画像処理装置３００（３００，３００’，…）を、上記画像データと共に、何れの画像処理装置でスキャナ機能が実行されたかを示すスキャナ識別情報を送信するように構成し、表示制御装置１００では、この装置識別情報に基づき、上記判別を行う。
このように、情報表示装置１に対して出力する外部機器は、情報表示装置１の表示制御装置１００に対してデータを出力する際にデータ出力元を示す装置識別情報を送信できるようになっており、そのため表示制御装置１００では出力元の外部機器を判別できる。
【００２９】
また、画像処理装置３００（３００，３００’，…）は、当該画像処理装置のユーザの識別情報を取得しユーザ認証を行うためのユーザ認証部３３０を有してもよい。画像処理装置３００（３００，３００’，…）におけるユーザ認証では、まず、例えばネットワークを介して接続される情報表示装置１の表示制御装置１００に、ユーザ認証部３３０を介して取得した当該画像処理装置のユーザの識別情報を送信する。次に、受信した識別情報に基づいて表示制御装置１００が行ったユーザ認証の結果を、表示制御装置１００から受信し、この受信結果に基づき上記ユーザ認証は行われる。なお、画像処理装置３００（３００，３００’，…）においては、ユーザ認証を行わない構成としてもよく、すなわちユーザ認証部３３０が、ユーザの識別情報を取得する識別取得情報取得機能を有するのみであってもよい。
【００３０】
例えば、画像処理装置３００がユーザ識別情報を取得したときに、ユーザが画像処理装置３００のスキャナ機能を用いた場合、画像処理装置３００はスキャナ部３１０で生成された画像データと共にユーザ識別情報を情報表示装置１に送信する。そして、情報表示装置１では、受信した画像データ及びユーザ識別情報を後述の記憶部１３０に記憶する。情報表示装置１においては、上記ユーザ識別情報と同じユーザ識別情報を、自機１が有する識別情報取得部が取得したときにのみ、大型表示タッチパネル２００（２００，２００’，…）が受信した画像データに基づく情報画面を表示する。
スキャナ機能を有する画像処理装置以外の外部機器も同様にユーザ認証部を有することが好ましい。
【００３１】
情報表示装置１の表示制御装置１００の説明に戻る。
情報表示装置１の表示制御装置１００の制御部１１０は、ユーザの位置を認識するためのユーザ位置認識部１１１を有する。ユーザ位置認識部１１１は、大型表示タッチパネル２００（２００，２００’，…）のユーザ位置センサ２１０からのユーザの感知信号に基づいて、ユーザの位置を示すユーザ位置情報を取得する。また、ユーザ位置認識部１１１は、上述の装置識別情報に基づいて、ユーザの位置を示すユーザ位置情報を取得することができる。
【００３２】
しかし、情報表示装置１においては、必ずしもユーザの位置を認識しておかなければならないわけではなく、ユーザ位置認識部１１１が、何れのユーザ位置センサ２１０で感知されたかを示す信号すなわち感知元を示す信号や、何れの画像処理装置３００，３００’…がスキャナ装置として用いられたかの情報すなわちスキャナ識別情報等の装置識別情報が入力されていればよい。
【００３３】
また、制御部１１０は、ユーザ位置認識部１１１により取得されたユーザ位置情報、ユーザ位置センサ２１０の感知元を示す信号、及び装置識別情報の少なくとも１つに基づいて、情報画面の表示方向を決定する表示方向決定部１１２と、ユーザ位置認識部１１１により取得されたユーザ位置情報、ユーザ位置センサ２１０の感知元を示す信号、及び装置識別情報の少なくとも１つに基づいて、大型表示タッチパネル２００（２００，２００’…）における情報画面の表示位置や表示領域（表示エリア）を決定する表示エリア決定部１１３と、を有する。
【００３４】
表示方向決定部１１２は、例えば、ユーザ位置センサ２１０の感知元を示す信号に基づき、記憶部１３０に記憶されている後述の表示方向テーブルを参照し、情報画面の表示方向を決定する。また、ユーザ位置認識部１１１の認識により、表示方向を決定してもよい。この表示方向決定部１１２により、大型表示タッチパネル２００を机のように利用する場合に、タッチパネルの４辺の各方向から見られるように、情報画面の表示方向を決定することができる。
【００３５】
表示エリア決定部１１３は、例えば、ユーザ位置センサ２１０の感知元を示す信号に基づき、記憶部１３０に記憶されている後述の表示位置テーブルを参照し、情報画面の表示位置を決定する。また、表示エリア決定部１１３は、スキャナ機能を有する画像処理装置や情報処理装置などの外部機器が複数、大型表示タッチパネルの画面の近傍に、画面の区分された領域と対応した位置に設置されている場合に、例えば、装置識別情報に基づいて、当該外部機器と対応した画面の表示領域を表示位置や表示領域として決定するようにしてもよい。この場合、情報表示装置１は、外部機器から出力されたデータに基づく情報画面を、当該外部機器と対応した画面の表示領域に表示する。
【００３６】
さらに、制御部１１０は、ユーザに対する情報を示す画面である情報画面を生成する情報画面生成部１１４を有する。この情報画面生成部１１４は、情報画面の表示種別を決定する表示種別決定部１１４ａと、情報画面の表示言語を決定する表示言語決定部１１４ｂと、情報画面の表示サイズを決定する表示サイズ決定部１１４ｃと、を含む。
【００３７】
表示種別決定部１１４ａは、ユーザの年齢や身長に応じて、適切な情報画面のコンテンツを決定するもので、例えば、後述のユーザ属性決定部によりユーザ属性情報として取得しされたユーザの年齢情報に基づき、後述の表示種別テーブルを参照して、情報画面の表示種別（例えば、全てひらがな表記にするか等）を決定する。また、情報表示装置１においては、ユーザの身長の情報を取得し、この身長の情報からユーザの年齢を推測して判別し、表示種別決定部１１４ａが、判別したユーザの年齢に基づいて、情報画面の種別を決定しても良い。
【００３８】
表示言語決定部１１４ｂは、ユーザの国籍に応じて表示する言語を設定するもので、例えば、例えば、後述のユーザ属性決定部によりユーザ属性情報として取得しされたユーザの国籍情報に基づき、後述の表示言語テーブルを参照して、情報画面の表示言語を決定する。
表示サイズ決定部１１４ｃは、ユーザが表示画面からどの程度はなれているかにより、情報画面の表示サイズを決定するものであり、例えば、画面とユーザの間の距離に関する情報をユーザ位置センサ２１０から取得し、取得した距離に関する情報に基づき、後述の表示サイズテーブルを参照して、情報画面の表示サイズを決定する。
【００３９】
また、制御部１１０は、ユーザの属性情報を決定するユーザ属性決定部１１５を有する。ユーザ属性決定部１１５は、例えば、識別情報取得部で取得したユーザの識別情報に基づき、後述のユーザ属性テーブルを参照して、ユーザの属性情報を取得する。また、ユーザを感知できるセンサを大型表示タッチパネル２００の高さ方向に配し、ユーザの位置（高さ）に関する情報を取得できるように構成し、このユーザ属性決定部１１５では、取得したユーザの（高さ）に関する情報に基づき、ユーザの身長や年齢を推測し、ユーザ属性情報を決定することもできる。
【００４０】
また、制御部１１０は、画像処理装置（プリンタ）の選択を行うためのプリンタ選択部１１６と、画像処理装置（スキャナ）の選択を行うためのスキャナ選択部１１７と、を有する。情報表示装置１においては、画像処理装置（プリンタ）がユーザ位置センサの設けられた位置と対応した位置に設置されている。
【００４１】
プリンタ選択部１１６は、ユーザの近くのプリンタを選択するためのものであり、例えば、ユーザの接近を感知したユーザ位置センサ２１０の位置に係る情報に基づき、後述の出力プリンタテーブルを参照して、プリント出力先のプリンタを決定する。プリンタ選択部１１６では、ユーザの接近を感知したユーザ位置センサ２１０と対応した位置に設置された画像処理装置を情報画面のプリント出力先として選択・決定している。
また、制御部１１０は、プリンタ選択部１１６と同様な、ユーザの接近を感知したユーザ位置センサ２１０と対応した位置に設置された情報処理装置を情報画面の出力先として選択・決定する情報処理装置選択部を有していても良い。
【００４２】
また、情報表示装置１の画面の周囲に、プリンタ機能を有する画像処理装置及び／又は情報処理装置等の外部機器を複数、上記画面の区分された表示領域と対応した位置に設置しておいた場合、プリンタ選択部１１６及び／または情報処理装置選択部が、表示されている情報画面の表示領域に係る情報を取得し、取得した表示位置や表示領域に係る情報に基づき、画面に表示された情報の出力先の外部機器として、当該情報画面が表示された位置が該当する表示領域と対応した位置に設置された外部機器を選択するようにしてもよい。
【００４３】
制御部１１０のスキャナ選択部１１７は、ユーザの接近を感知したユーザ位置センサ２１０の位置に基づき、当該ユーザ位置センサ２１０と対応した位置に設置された画像処理装置を、情報画面に関連して用いるスキャナとして選択・決定する。スキャナ選択部１１７がスキャナを選択した場合、情報表示装置１においては、選択したスキャナの位置情報を含む情報画面を、大型表示タッチパネル２００に表示するように構成することが好適である。
【００４４】
表示制御装置１００の記憶部１３０は、表示位置テーブルを記憶する表示位置テーブル記憶部１３１と、出力プリンタテーブルを記憶する出力プリンタテーブル１３２と、ユーザ属性テーブルを記憶するユーザ属性テーブル記憶部１３３と、表示サイズテーブルを記憶する表示サイズテーブル記憶部１３４、表示方向テーブルを記憶する表示方向テーブル記憶部１３５を含む。
情報表示装置１において、表示制御装置１００の制御部１１０は、記憶部１３０に記憶されている各種テーブルを参照して、情報画面の表示態様を決定している。各種テーブルについては、後述する。
【００４５】
図２は、図１に示した情報表示装置１の表示制御装置１００における情報表示処理の一例について説明するためのフローチャートである。
情報表示処理において、表示制御装置１００は、まず、ユーザの接近を感知している大型表示タッチパネル２００（２００，２００’，…）のユーザ位置センサ２１０を検出しているかどうかを判断する（ステップＳ１）。検出していた場合（ＹＥＳの場合）、表示制御装置１００は、感知元のユーザ位置センサ２１０を示す信号に基づき、ユーザ位置認識部１１１でユーザの位置情報を取得し、ユーザ位置を認識する（ステップＳ２）。このステップＳ２は、省略可能である。また、上記ステップＳ１において、検出していなかった場合（ＮＯの場合）、ステップＳ１で待機状態に移行する。
【００４６】
次に、表示制御装置１００は、記憶部１３０を参照し、取得したユーザの位置情報に応じて、表示位置や表示エリア、表示方向を決定する（ステップＳ３）。ステップＳ２を省略した場合、ステップＳ３では、記憶部１３０を参照し、感知元のユーザ位置センサ２１０を示す信号に基づき、表示エリアと表示方向を決定する。次に、表示制御装置１００は、大型表示タッチパネル２００（２００，２００’，…）のユーザ位置センサ２１０で取得することができる、ユーザと大型表示タッチパネル２００との間の距離の情報に応じて、情報画面の表示文字サイズを決定する（ステップＳ４）。
【００４７】
続いて、表示制御装置１００は、大型表示タッチパネル２００において感知元のユーザ位置センサに対応して設けられているユーザ認証部２２０でユーザのＩＣカードを認識しているか否かを判断する（ステップＳ５）。ＩＣカードを認識している場合（ＹＥＳの場合）、ＩＣカードに含まれるユーザの識別情報や属性情報に基づき、表示制御装置１００のユーザ属性決定部１１５はユーザの属性を決定し、決定したユーザの属性に応じて、表示言語決定部１１４ｂは情報画面の表示言語を決定する。なお、上記ステップＳ５において、ユーザのＩＣカードを認識していなかった場合（ＮＯの場合）、表示制御装置１００は、情報画面の表示言語として、デフォルトの表示言語を設定する（ステップＳ７）。
【００４８】
ステップＳ６またはステップＳ７に続いて、表示制御装置１００は、上述のステップで決定（または設定）した表示言語や表示サイズの情報画面を生成し（ステップＳ８）、大型表示タッチパネル２００（２００，２００’，…）の表示画面内の上述のステップで決定した表示位置や表示エリアに、決定した表示方向で、生成した情報画面を表示するように制御する。
【００４９】
また、表示制御装置１００では、このように大型表示タッチパネル２００（２００，２００’，…）に表示した情報画面に対し、入力があったか否か判断する（ステップＳ９）。情報画面に対し入力があった場合（ＹＥＳの場合）、その入力内容が印刷出力を指示するものであるか否かを判断する（ステップＳ１０）。入力内容が印刷出力であった場合（ＹＥＳの場合）、表示制御装置１００は、ユーザ位置や表示位置や表示エリアに応じて、出力先のプリンタを選択し（ステップＳ１４）、選択したプリンタに印刷に必要なデータ（印刷データ）を送信する。その後に、ステップＳ９に戻り処理を繰り返す。
【００５０】
一方、上記Ｓ１０において、入力内容が印刷出力でなかった場合（ＮＯの場合）、表示制御装置１００は、入力内容が処理の終了を求めるものであるか否かを判断する（ステップＳ１１）。入力内容が処理の終了を指示するものであった場合（ＹＥＳの場合）、情報画面の表示を止めるなどの終了処理を行い（ステップＳ１２）、情報表示処理を終了する。上記ステップＳ１１において、入力内容が処理の終了を指示するものでなかった場合（ＮＯの場合）、表示制御装置１００は、入力内容に応じて、情報画面を生成し、大型表示タッチパネル２００（２００，２００’，…）に表示し、ステップＳ９に戻り処理を繰り返す。
【００５１】
また、上記ステップＳ９において、情報画面に対し入力がなかった場合（ＮＯの場合）、表示制御装置１００は、ユーザの接近を感知しているユーザ位置センサ２１０が検出されていないことを確認する（ステップＳ１３）。ユーザの接近を感知しているユーザ位置センサ２１０が検出されていなかった場合（ＹＥＳの場合）は、ステップＳ１２に移行し、情報画面の表示を止めるなどの終了処理を行い、情報表示処理を終了するが、ユーザの接近を感知しているユーザ位置センサ２１０が検出されている場合（ＮＯの場合）は、ステップＳ９に戻り処理を繰り返す。
【００５２】
続いて、本実施形態に係る情報表示装置の表示制御装置が有する各種テーブルのデータ構成例について、情報表示装置の幾つかの例と共に示し、説明する。
【００５３】
まず、表示位置テーブルについて、図３及び図４を用いて説明する。
図３は、表示位置テーブル記憶部が記憶する表示位置テーブルを説明するための図であり、図４は、表示位置テーブルの一例のデータ構成図である。
この例では、情報表示装置は、図３（Ａ）に示すように、１の大型表示タッチパネル２００を備えており、大型表示タッチパネル２００の表示画面の下部周囲に、第１〜第３ユーザ位置センサ２１０１，２１０２，２１０３を搭載している。これらユーザ位置センサ２１０１，２１０２，２１０３は、ユーザの接近を感知するセンサである。
【００５４】
情報表示装置において、大型表示タッチパネル２００の表示制御を行う表示制御装置は、感知（反応）したユーザ位置センサを検出できるようになっており、この検出に基づき、図４の表示位置テーブルを参照し、ユーザ位置と表示位置を決定する。表示位置テーブルには、反応したユーザ位置センサの情報と、ユーザ位置の情報と、表示位置の情報とが記載されている。
【００５５】
図３（Ｂ）に示すように、ｉ）大型表示タッチパネル２００の表示画面の左側に対しユーザが接近した場合、第１のユーザ位置センサ２１０１が反応する。表示制御装置は、第１のユーザ位置センサ２１０１が反応したことを検出し、図４の表示位置テーブルを参照して、大型表示タッチパネル２００の表示画面に対しユーザが左側にいると決定し、大型表示タッチパネル２００の表示画面の左側に情報画面を表示することを決定する。そして、大型表示タッチパネル２００の表示画面には、図３（Ｃ）に示すように、ｉ）情報画面２４０が左側に表示される。
【００５６】
一方、図３（Ｂ）に示すように、ii）大型表示タッチパネル２００の表示画面の中央左側に対しユーザが接近した場合、第１及び第２のユーザ位置センサ２１０１，２１０２が反応する。表示制御装置は、第１及び第２のユーザ位置センサ２１０１，２１０２が反応したことを検出し、図４の表示位置テーブルを参照して、大型表示タッチパネル２００の表示画面に対しユーザが中央左側にいると決定し、大型表示タッチパネル２００の表示画面の中央左側に情報画面を表示することを決定する。そして、大型表示タッチパネル２００の表示画面には、図３（Ｃ）に示すように、ii）情報画面２４０が中央左側に表示される。
【００５７】
なお、図３（Ｂ）に示すように、ユーザが大型表示タッチパネルのiii）中央、iv）中央右、またはｖ）右側に対し接近した場合にも、同様にして、大型表示タッチパネル２００の表示画面には、図３（Ｃ）に示すように、情報画面２４０がiii）中央に、iv）中央右側に、またはｖ）右側に表示される。
【００５８】
表示位置テーブルの他の例について、図５及び図６を用いて説明する。
図５は、表示位置テーブルの他の例を説明するための図であり、図６は、表示位置テーブルの他の例のデータ構成図である。
この例では、情報表示装置は、図５（Ａ）に示すように、２の大型表示タッチパネル２００，２００’を備えており、左側の第１の大型表示タッチパネル２００の表示画面の下部周囲に第１のユーザ位置センサ２１０１及び第２のユーザ位置センサ２１０２を搭載し、右側の第２の大型表示タッチパネル２００’に第３のユーザ位置センサ２１０３及び第４のユーザ位置センサ２１０４を搭載している。
【００５９】
情報表示装置において、大型表示タッチパネル２００，２００’の表示制御を行う表示制御装置は、感知（反応）したユーザ位置センサを検出し、図６の表示位置テーブルを参照して、ユーザ位置と表示位置を決定する。
【００６０】
図５（Ｂ）に示すように、ｉ）第１の大型表示タッチパネル２００の表示画面の左側に対しユーザが接近した場合、第１のユーザ位置センサ２１０１が反応する。表示制御装置は、第１のユーザ位置センサ２１０１が反応したことを検出し、図６の表示位置テーブルを参照して、ユーザが第１の大型表示タッチパネル２００の表示画面の左側にいると決定し、第１の大型表示タッチパネル２００の表示画面の左側に情報画面を表示することを決定する。そして、図５（Ｃ）に示すように、ｉ）第１の大型表示タッチパネル２００の表示画面の左側に情報画面２４０が表示される。
【００６１】
一方、図５（Ｂ）に示すように、iv）２台の大型表示タッチパネル２００，２００’の間付近にユーザが接近した場合、第２及び第３のユーザ位置センサ２１０２，２１０３が反応する。表示制御装置は第２及び第３のユーザ位置センサ２１０２，２１０３が反応したことを検出し、図６の表示位置テーブルを参照して、２台の大型表示タッチパネル２００，２００’からなる表示装置の中央にいると決定し、上記表示装置の中央に情報画面を表示することを決定する。すなわち、第１の大型表示タッチパネル２００の右側に情報画面の左側を表示し、第２の大型表示タッチパネル２００’の左側に情報画面の右側を表示することを決定する。そして、図５（Ｃ）に示すように、iv）２台の大型表示タッチパネル２００，２００’からなる表示装置の中央に情報画面２４０が表示される。
【００６２】
なお、図５（Ｂ）に示すように、ユーザがii）第１の大型表示タッチパネル２００の中央、iii）第１の大型表示タッチパネル２００の右側、ｖ）第２の大型表示タッチパネル２００の左側、vi）第２の大型表示タッチパネル２００の中央、またはvii）第２の大型表示タッチパネル２００の右側に対しユーザが接近した場合にも、同様にして、図５（Ｃ）に示すように、ii）第１の大型表示タッチパネル２００の中央、iii）第１の大型表示タッチパネル２００の右側、ｖ）第２の大型表示タッチパネル２００の左側、vi）第２の大型表示タッチパネル２００の中央、またはvii）第２の大型表示タッチパネル２００の右側に、情報画面２４０が表示される。
【００６３】
表示装置が大型化すると、ユーザの目前ではない場所に情報画面を表示した場合、表示されたことが判らないことがあり、また、表示された場所に見に行かなければならないことがある。本発明の情報表示装置においては、図３〜図６の例のときのように、複数のセンサによりユーザの位置を感知し、その位置に応じた（表示装置における）表示位置や表示領域に情報画面を表示することで、ユーザが必要とする情報をユーザの目前に表示することができる。
【００６４】
次に、表示サイズテーブルについて、図７及び図８を用いて説明する。
図７は、表示サイズテーブル記憶部が記憶する表示サイズテーブルを説明するための図であり、図８は、表示サイズテーブルの一例のデータ構成図である。
情報表示装置は、例えば、図７（Ａ）に示すように、１の大型表示タッチパネル２００を備えており、大型表示タッチパネル２００の表示画面の下部周囲に、第１〜第３のユーザ位置センサ２１０１，２１０２，２１０３を搭載している。これらユーザ位置センサ２１０１，２１０２，２１０３では、例えば、超音波を放射し、ユーザからの反射波の強度または戻り時間を測定している。情報表示装置において、大型表示タッチパネル２００の表示制御を行う表示制御装置は、ユーザ位置センサが測定した反射波の強度または戻り時間を示す情報（強度または時間情報）を取得する。
【００６５】
表示制御装置は、強度情報を取得した場合、この強度情報に基づき、図８の表示サイズテーブルを参照し、ユーザと表示画面との間の距離すなわちユーザ位置と、表示サイズを決定する。表示サイズテーブルには、図８に示すように、例えば、強度情報（「センサ感知」欄の情報）と、ユーザ位置情報（「ユーザ立ち位置」欄の情報）と、表示サイズ情報（「文字・図形サイズ」欄の情報）とが記載されている。
【００６６】
図７（Ｂ）に示すように、ｉ）大型表示タッチパネル２００の表示画面から所定の距離以内にユーザがいなかった場合、ユーザ位置センサ２１０１，２１０２，２１０３で測定される反射波の強度は所定の強度より小さいので、反射波が無かったものとし、表示制御装置は、強度情報「無し」を取得する。この場合、大型表示タッチパネル２００の表示画面には、情報画面は表示されない。
【００６７】
なお、以下では、ユーザが大型表示タッチパネル２００の表示画面の中央に対して位置するものとする。
一方、図７（Ｂ）に示すように、ii）大型表示タッチパネル２００の表示画面に対し、所定の距離以内であって遠い位置にユーザがいた場合、第２のユーザ位置センサ２１０２では、弱い強度の反射波が測定される。この場合、表示制御装置は、強度情報「弱」を取得し、図８の表示サイズテーブルを参照して、大型表示タッチパネル２００の表示画面に対しユーザが遠い位置にいると決定し、また、大型表示タッチパネル２００の表示画面に、文字サイズや図形サイズが大きい情報画面を表示することを決定する。
【００６８】
また、図７（Ｂ）に示すように、大型表示タッチパネル２００の表示画面に対し、iii）中程度の、または、iv）近い位置にユーザがいた場合、第２のユーザ位置センサ２１０２では、中程度の、または、強い強度の反射波が測定される。この場合、表示制御装置は、強度情報「中」、または、「強」を取得し、図８の表示サイズテーブルを参照して、大型表示タッチパネル２００の表示画面に、文字サイズや図形サイズが中程度の、または、小さい情報画面を表示することを決定する。
なお、超音波センサが、反射波の戻り時間の計測によっても距離を判定できることは言うまでもない。
【００６９】
本発明の情報表示装置においては、図７及び図８の例のように、ユーザと表示画面との距離をセンサにより感知し、その距離に応じた表示を行うことができる。例えば、表示画面から離れた場所にユーザがいると大きな文字で、また近くにいると小さな文字で表示する。これにより、ユーザは情報表示装置を効果的に利用することができる。
【００７０】
続いて、図９及び図１０を用いて、出力プリンタテーブルについて説明する。
図９は、出力プリンタテーブル記憶部が記憶する出力プリンタテーブルを説明するための図であり、図１０は、出力プリンタテーブルの一例のデータ構成図である。
この例では、情報表示装置は、図９（Ａ）に示すように、１の大型表示タッチパネル２００を備えており、大型表示タッチパネル２００の表示画面の下部周囲に、ユーザの接近を感知する第１〜３のユーザ位置センサ２１０１，２１０２，２１０３を搭載している。また、この情報表示装置には、プリンタ機能を有する２台の画像処理装置が接続されており、第１のユーザ位置センサ２１０１と第２のユーザ位置センサ２１０２の間に第１の画像処理装置３００（プリンタ１）が設置され、第２のユーザ位置センサ２１０２と第３のユーザ位置センサ２１０３の間に、第２の画像処理装置３００’（プリンタ２）が設置される。
【００７１】
この例の情報表示装置においては、大型表示タッチパネル２００に表示している情報画面に対し、ユーザからプリント出力を指示する入力があった場合に、表示制御装置が、感知しているユーザ位置センサを検出し、この検出に基づき、図１０の出力プリンタテーブルを参照して、ユーザ位置とプリント出力先の画像処理装置とを決定する。これにより、情報表示装置は、感知しているユーザ位置センサの情報に基づき、ユーザの近い位置にある画像処理装置をプリント出力先として選択することができる。
なお、出力プリンタテーブルには、図１０に示すように、例えば、反応したユーザ位置センサの情報と、ユーザ位置の情報と、出力先プリンタの情報とが記載されている。
【００７２】
図９（Ｂ）に示すように、情報画面に対しプリント出力を指示したときに、ｉ）ユーザが大型表示タッチパネル２００の表示画面の左側に対し位置する場合、第１のユーザ位置センサ２１０１が反応する。表示制御装置は、第１のユーザ位置センサ２１０１が反応したことを検出し、図１０の出力プリンタテーブルを参照して、大型表示タッチパネル２００の表示画面に対しユーザが左側にいると決定し、プリンタ１（画像処理装置３００）を出力先の画像処理装置として決定する。これにより、２台の画像処理装置３００，３００’のうち、ユーザから近い位置に設置されている画像処理装置３００からプリント出力させることができる。
【００７３】
一方、図９（Ｂ）に示すように、情報画面に対しプリント出力を指示したときに、iii）ユーザが大型表示タッチパネル２００の表示画面の中央に対し位置する場合、第２のユーザ位置センサ２１０２が反応する。表示制御装置は、第２のユーザ位置センサ２１０２が反応したことを検出し、図１０の出力プリンタテーブルを参照して、大型表示タッチパネル２００の表示画面の中央に対してユーザが位置すると決定するが、プリント出力先の画像処理装置については決定しない。２台の画像処理装置３００，３００’が共にユーザから近い位置に設置されているからである。その代わりに、表示制御装置は、例えば、２台の画像処理装置３００，３００’のうちどちらからプリント出力させるかをユーザに問う情報画面を大型表示タッチパネル２００に表示し、ユーザに出力先の画像処理装置を選択させることができる。
【００７４】
なお、図９（Ｂ）に示すように、情報画面に対しプリント出力を指示したときに、ユーザが大型表示タッチパネル２００のii）中央左側、iv）中央右側、またはｖ）右側に位置する場合にも、感知したユーザ位置センサの情報に基づき、図１０の出力プリンタテーブルを参照して、上記ii）の場合はプリンタ１（画像処理装置３００）を、上記iv）及びｖ）の場合はプリンタ２（画像処理装置３００’）を、出力先の画像処理装置として決定する。
【００７５】
表示装置が大型化し、それに伴い、表示装置及びプリンタ機能を有する画像処理装置（プリンタ）を含む情報表示システムが大型化した場合、表示装置が表示している情報を出力するプリンタを複数台設けることが好適である。しかし、この場合、ユーザの位置から離れた場所に位置するプリンタにプリント出力すると、出力されたことを気づかない、または、そこまで用紙を取りに行かなければならない。本発明の情報表示装置においては、図９及び図１０の例のように、複数のセンサによりユーザの位置を感知させ、その位置に応じたプリンタに情報を出力することで、ユーザが必要とする情報をユーザの手元（近くのプリンタ）に出力することができる。
【００７６】
以上の画像処理装置と接続される例だけでなく、画像処理装置の他に、または、画像処理装置に換えて、情報処理装置と接続される例においても、上述の例と同様にして、ユーザの接近を感知したユーザ位置センサを検出しておくことにより、情報画面（ユーザの接近を感知したユーザ位置センサの位置に応じて決定された表示位置に表示されたものを含む）に関するデータを、ユーザの接近を感知した位置と対応した位置に設置されている情報処理装置に出力することができる。
【００７７】
次に、図１１を用いて、ユーザ属性テーブルについて説明する。図１１は、ユーザ属性テーブル記憶部に記憶されるユーザ属性テーブルの一例のデータ構成図である。
【００７８】
図１１に示すように、ユーザ属性テーブルには、例えば、ユーザ情報（「ユーザＡ」など）と関連付けて、ユーザ属性情報（「国籍」欄、「年齢」欄や「身長」欄のもの）が記載されている。ユーザ属性テーブルを有する情報表示装置では、ユーザ認証部を介して、ユーザからユーザ情報を取得し、表示制御装置のユーザ属性決定部が、取得したユーザ情報（例えば、「ユーザＡ」）に基づき、ユーザ属性テーブルを参照し、ユーザ属性情報（例えば、「日本」，「２５歳」，「１８０ｃｍ」）を決定する。
【００７９】
情報表示装置の表示制御装置では、上述の方法等で得られたユーザ属性情報に基づき、情報画面の表示言語、表示種別や、表示位置を決定する。
図１２は、ユーザ属性情報に基づき、情報画面の表示言語等を決定するためのテーブルの例のデータ構成図である。
【００８０】
図１２（Ａ）は、情報画面の表示言語を決定するための表示言語テーブルを示しており、表示言語テーブルには、ユーザ属性情報（「国籍」欄のもの）と関連付けて、情報画面の表示言語の情報（「表示言語」欄のもの）が記載されている。情報表示装置においては、ユーザの国籍が日本であった場合（すなわち、取得したユーザ属性情報が「日本」であった場合）、大型表示タッチパネルに日本語の情報画面を表示する（すなわち、表示制御装置が、情報画面生成部の表示言語決定部で、表示言語テーブルを参照し、表示言語の情報として「日本語」を選択し、日本語の情報画面を大型表示タッチパネルに表示するように制御する）。
【００８１】
図１２（Ｂ）は、情報画面の表示種別を決定するための表示種別テーブルを示しており、表示種別テーブルには、以下の表示種別決定用ユーザ属性情報（「年齢」欄のもの）と関連付けて、情報画面の表示種別の情報（「表示種別」欄のもの）が記載されている。表示種別決定用ユーザ属性情報は表示種別決定のための情報で、図１２（Ｂ）の表示種別テーブルを用いる場合、情報表示装置では、表示制御装置が、取得したユーザ属性情報に基づいて（例えば、ユーザ属性情報を変換して）、表示種別決定用ユーザ属性情報を取得する。
【００８２】
情報表示装置においては、取得したユーザ属性情報が「２５歳」であった場合（すなわち、ユーザの年齢が２５歳であった場合）、表示制御装置が、まずユーザ属性情報（「２５歳」）に基づき、表示種別決定用ユーザ属性情報（「１１歳〜」）を取得する。そして、情報画面生成部の表示種別決定部で、表示種別決定用ユーザ属性情報（「１１歳〜」）に基づき、表示種別テーブルを参照し、表示種別の情報として「漢字・ひらがな」を選択し、漢字及びひらがなが用いられた情報画面を大型表示タッチパネルに表示するように制御する。
図１２（Ａ），（Ｂ）に示したテーブルも、他のテーブルと同様、表示制御装置の記憶部に記憶されている。
【００８３】
図１２（Ｃ）は、情報画面の表示位置を決定するための表示位置テーブルの他の例を示しており、表示位置テーブルには、以下の表示位置決定用ユーザ属性情報（「身長」欄のもの）と関連付けて、情報画面の表示位置の情報（「表示位置」欄のもの）が記載されている。表示位置決定用ユーザ属性情報は表示位置決定のための情報で、図１２（Ｃ）の表示位置テーブルを用いる場合、情報表示装置では、表示制御装置が、取得したユーザ属性情報に基づいて、表示位置決定用ユーザ属性情報を取得する。
【００８４】
情報表示装置においては、取得したユーザ属性情報が「１８０ｃｍ」であった場合（すなわち、ユーザの身長が１８０ｃｍであった場合）、表示制御装置が、まずユーザ属性情報（「１８０ｃｍ」）に基づき、表示位置決定用ユーザ属性情報（「１７０ｃｍ〜」）を取得する。そして、情報画面生成部の表示エリア決定部で、表示位置決定用ユーザ属性情報（「１７０ｃｍ〜」）に基づき、表示位置テーブルを参照し、表示位置の情報として「上」を選択し、大型表示タッチパネルの上側に情報画面を表示するように制御する。
【００８５】
本発明の情報表示装置においては、図１１のユーザ属性テーブルなどを用いることにより、ユーザを識別（特定）することで、個人の背の高さ、視力、色覚障害、年齢、国籍などのユーザ属性情報を得ることができ、また、図１２の各種テーブルなどを用いることにより、ユーザ属性情報に応じた表示装置への表示、またはプリントを行うことができるので、ユーザの利便性が向上する。
【００８６】
続いて、表示位置テーブルの更に他の例について、図１３及び図１４を用いて説明する。図１３は、この例の表示位置テーブルを説明するための図であり、図１４は、この表示位置テーブルのデータ構成図である。
この例では、情報表示装置は、図１３（Ａ）に示すように、１の大型表示タッチパネル２００を備えており、また、スキャナ機能を有する３台の画像処理装置が接続されており、大型表示タッチパネル２００の表示画面の左側に第１の画像処理装置３００が設置され、中央に第２の画像処理装置３００’が設置され、右側に第３の画像処理装置３００”が設置される。
【００８７】
情報表示装置において、大型表示タッチパネル２００の表示制御を行う表示制御装置は、ユーザが使用したスキャナ（画像処理装置）を検出できるようになっており、この検出に基づき、図１４の表示位置テーブルを参照し、ユーザ位置と表示位置を決定する。表示位置テーブルには、ユーザが使用したスキャナの情報と、ユーザ位置の情報と、表示位置の情報とが記載されている。
【００８８】
図１３（Ｂ）に示すように、ユーザが、大型表示タッチパネル２００に対してｉ）左側、ii）中央、またはiii）右側に位置し、第１の画像処理装置３００（上記ｉ）の場合）、第２の画像処理装置３００’ （上記ii）の場合）、または第３の画像処理装置３００” （上記iii）の場合）をスキャナとして使用した場合、情報表示装置は以下のように動作する。
情報表示装置において、表示制御装置は、スキャナで読み取った画像データを取得すると共に、使用されたスキャナを検出し、図１４の表示位置テーブルを参照して、大型表示タッチパネル２００の表示画面に対し左側（上記ｉ）の場合）、中央 （上記ii）の場合）、または右側（上記iii）の場合）にユーザがいると決定し、大型表示タッチパネル２００の表示画面の左側（上記ｉ）の場合）、中央 （上記ii）の場合）、または右側（上記iii）の場合）に、情報画面を表示することを決定する。そして、大型表示タッチパネル２００の表示画面には、図１３（Ｃ）に示すように、スキャナで読み取った画像データ等から構成される情報画面２４０が、左側（上記ｉ）の場合）、中央 （上記ii）の場合）、または右側 （上記iii）の場合）に表示される。
【００８９】
表示装置が大型化すると、スキャナで読み取った画像データ等から構成される情報画面をユーザの目前ではない場所に表示すると、表示されたことが判らないことがあり、また表示された場所に見に行かなければならない。本発明の情報表示装置においては、図１３及び図１４の例のときのように、ユーザが使用するスキャナの位置に応じた表示位置や表示領域に、スキャナを用いて得られた上記情報画面を表示することで、ユーザが、スキャンした情報の確認を目前で行うことができる。
【００９０】
次に、表示方向テーブルについて、図１５及び図１６を用いて説明する。
図１５は、表示方向テーブル記憶部が記憶する表示方向テーブルを説明するための図であり、図１６は、表示方向テーブルの一例のデータ構成図である。
この例では、情報表示装置の大型表示タッチパネルをその表示画面が天井方向に向くように水平に設置しているものとし、以下では、図１５の上（左）側を大型表示タッチパネルの上（左）側などとして説明する。
【００９１】
情報表示装置は、図１５（Ａ）に示すように、１の大型表示タッチパネル２００を備えており、大型表示タッチパネル２００の表示画面の周囲の下側に、第１のユーザ位置センサ２１０１、左側に第２のユーザ位置センサ２１０２、上側に第３のユーザ位置センサ２１０３、右側に第４のユーザ位置センサ２１０４を搭載している。これらユーザ位置センサ２１０１，２１０２，２１０３，２１０４は、ユーザの接近を感知するセンサである。
【００９２】
情報表示装置において、表示制御装置は、感知（反応）したユーザ位置センサを検出できるようになっており、この検出に基づき、図１６の表示方向テーブルを参照し、ユーザ位置と表示方向を決定する。表示方向テーブルには、反応したユーザ位置センサの情報と、ユーザ位置の情報と、表示方向の情報とが記載されている。
【００９３】
図１５（Ｂ）に示すように、大型表示タッチパネル２００に対してｉ）下側、ii）左、iii）上側、またはiv）右側にユーザが位置した場合、情報表示装置において、第１のユーザ位置センサ２１０１（上記ｉ）の場合）、第２のユーザ位置センサ２１０２（上記ii）の場合）、第３のユーザ位置センサ２１０３（上記iii）の場合）、または第４のユーザ位置センサ２１０４（上記iv）の場合）が反応する。
【００９４】
すると、情報表示装置の表示制御装置は、第１のユーザ位置センサ２１０１（上記ｉ）の場合）、第２のユーザ位置センサ２１０２（上記ii）の場合）、第３のユーザ位置センサ２１０３（上記iii）の場合）、または第４のユーザ位置センサ２１０４（上記iv）の場合）が反応したことを検出する。この検出に基づき、図１６の表示方向テーブルを参照して、大型表示タッチパネル２００の表示画面に対しユーザが下側（上記ｉ）の場合）、左側（上記ii）の場合）、上側（上記iii）の場合）、または右側（上記iv）の場合）にユーザがいると決定し、また、ユーザが容易に情報画面内の情報を認識できるように、大型表示タッチパネル２００の表示画面に表示する情報画面の向きを正立方向（上記ｉ）の場合）、左向き方向（上記ii）の場合）、倒立方向（上記iii）の場合）、または右向き方向（上記iv）の場合）と決定する。そして、大型表示タッチパネル２００の表示画面には、図１５（Ｃ）に示すように、正立方向（上記ｉ）の場合）、左向き方向（上記ii）の場合）、倒立方向（上記iii）の場合）、または右向き方向（上記iv）の場合）の情報画面“文字向き”が表示される。
【００９５】
本発明の情報表示装置においては、図１５及び図１６の例のように、水平に設置している大型表示タッチパネルの周囲の複数のセンサによりユーザの位置を感知し、その位置に応じた表示方向で情報画面を表示することで、ユーザの見ている方向にあわせた表示をすることができ、ユーザにとって見やすい表示が行うことができる。
【００９６】
以上では、大型表示タッチパネルに対するユーザ位置センサの搭載形態について、幾つかの例を示したが、ユーザ位置センサの搭載形態は、これらに限られない。
大型表示タッチパネルに対するユーザ位置センサの搭載形態の他の例について、図１７を用いて説明する。この例では、情報表示装置は、図１７（Ａ）に示すように、１の大型表示タッチパネル２００を備えており、大型表示タッチパネル２００の表示画面の下部周囲に、第１〜第１２のユーザ位置センサ２１０１〜２１０１２を搭載している。これらユーザ位置センサ２１０１〜２１０１２は、ユーザの接近を感知するセンサである。
【００９７】
この例の情報表示装置において、表示制御装置は、感知したユーザ位置センサを検出できるようになっている。また、この例の情報表示装置において、ユーザ位置センサには表示画面の表示領域がユーザ位置センサの位置に応じて割り当てられている。そのため、表示制御装置は、感知したユーザ位置センサを検出したとき、当該センサに割り当てられている表示領域を情報画面の表示位置として決定する。また、連続する複数のセンサがユーザの接近を感知していた場合、表示制御装置は、複数のセンサのそれぞれに割り当てられている表示領域に、それぞれ情報画面を表示するのではなく、複数のセンサ分の表示領域を１つの表示領域とし、その１つの表示領域に情報画面を表示するように制御する。
【００９８】
例えば、図１７（Ｂ）に示すように、子供のユーザが大型表示タッチパネルの左側にいた場合、第３及び第４のユーザ位置センサ２１０３,２１０４が反応する。表示制御装置は、第３及び第４のユーザ位置センサ２１０３,２１０４が反応したことを検出し、この検出結果に基づいて、第３及び第４のユーザ位置センサ２１０３,２１０４に割り当てられた表示領域を１つの表示領域２４０として、この表示領域２４０中に情報画面を表示するように制御する。
【００９９】
また、例えば、図１７（Ｂ）に示すように、大人のユーザが大型表示タッチパネルの左側にいた場合、第９〜第１１のユーザ位置センサ２１０９〜２１０１１が反応する。表示制御装置は、第９〜第１１のユーザ位置センサ２１０９〜２１０１１が反応したことを検出し、この検出結果に基づいて、第９〜第１１のユーザ位置センサ２１０９〜２１０１１に割り当てられた表示領域を１つの表示領域２４０’として、この表示領域２４０’中に情報画面を表示するように制御する。
【０１００】
なお、連続する、所定の数以上の複数のセンサがユーザの接近を感知していた場合、表示制御装置は、これら複数のセンサ分の表示領域を１つの表示領域とするのではなく、複数のユーザが並んで表示画面前にいるものと判断して、例えば、上記複数のセンサ分の表示領域を２つの表示領域として、この２つの表示領域にそれぞれ情報画面を表示するように制御するようにしてもよい。
【図面の簡単な説明】
【０１０１】
【図１】本発明の一実施形態に係る情報表示装置の構成例を説明するためのブロック図である。
【図２】本発明の一実施形態に係る情報表示装置の表示制御装置における情報表示処理の一例について説明するためのフローチャートである。
【図３】表示位置テーブルを説明するための図である。
【図４】表示位置テーブルの一例のデータ構成図である。
【図５】表示位置テーブルの他の例を説明するための図である。
【図６】表示位置テーブルの他の例のデータ構成図である。
【図７】表示サイズテーブルを説明するための図である。
【図８】表示サイズテーブルの一例のデータ構成図である。
【図９】出力プリンタテーブルを説明するための図である。
【図１０】出力プリンタテーブルの一例のデータ構成図である。
【図１１】ユーザ属性テーブルの一例のデータ構成図である。
【図１２】ユーザ属性情報に基づき、情報画面の表示言語等を決定するためのテーブルの例のデータ構成図である。
【図１３】表示位置テーブルの更に他の例を説明するための図である。
【図１４】表示位置テーブルの更に他の例のデータ構成図である。
【図１５】表示方向テーブルを説明するための図である。
【図１６】表示方向テーブルの一例のデータ構成図である。
【図１７】大型表示タッチパネルに対するユーザ位置センサの搭載形態の他の例を説明するための図である。
【符号の説明】
【０１０２】
１…情報表示装置、１００…表示制御装置、１１０…制御部、１１１…ユーザ位置認識部、１１２…表示方向決定部、１１３…表示エリア決定部、１１４…情報画面生成部、１１４ａ…表示種別決定部、１１４ｂ…表示言語決定部、１１４ｃ…表示サイズ決定部、１１５…ユーザ属性決定部、１１６…プリンタ選択部、１１７…スキャナ選択部、１２０…通信Ｉ／Ｆ、１３０…記憶部、１３１…表示位置テーブル記憶部、１３２…出力プリンタテーブル、１３３…ユーザ属性テーブル記憶部、１３４…表示サイズテーブル記憶部、１３５…表示方向テーブル記憶部、１４０…ネットワークＩ／Ｆ、２００，２００”…大型表示タッチパネル、２１０１〜２１０１２…ユーザ位置センサ、２２０…ユーザ認証部、２３０…通信Ｉ／Ｆ、２４０…情報画面、３００，３００’，３００”…画像処理装置、３１０…スキャナ部、３２０…印刷部、３３０…ユーザ認証部。
【図１】
2008268327.tif 000003
【図２】
2008268327.tif 000004
【図３】
2008268327.tif 000005
【図４】
2008268327.tif 000006
【図５】
2008268327.tif 000007
【図６】
2008268327.tif 000008
【図７】
2008268327.tif 000009
【図８】
2008268327.tif 000010
【図９】
2008268327.tif 000011
【図１０】
2008268327.tif 000012
【図１１】
2008268327.tif 000013
【図１２】
2008268327.tif 000014
【図１３】
2008268327.tif 000015
【図１４】
2008268327.tif 000016
【図１５】
2008268327.tif 000017
【図１６】
2008268327.tif 000018
【図１７】
2008268327.tif 000019